(57)【要約】【解決手段】鋏本体１は、ケース２３に対する収容状態Ｄで両刀身２，３の刃体９，１０が互いに閉じた閉状態になり、その収容状態Ｄで刃体９，１０が閉状態のまま刃体９，１０をケース２３の口部２９から突出させた突出途中状態Ｃを経て両刀身２，３が互いに開いた開状態に至る。【効果】ケース２３の口部２９が開放されている場合でも、その口部２９から物が入って刃体９，１０の刃先部１８やその尖端１８ａを傷付けたりその口部２９から入った指を刃体９，１０の刃先部１８やその尖端１８ａにより傷付けたりするおそれが少なくなる。不使用時に刃体９，１０がケース２３から突出途中状態Ｃまで不用意に突出したり、使用時に刃体９，１０をケース２３から突出途中状態Ｃまで突出させたりしても、その刃体９，１０の刃先部１８やその尖端１８ａにより衣服や物を傷付けるおそれを少なくするとともに、使用者に視覚的な安心感を与えることができる。【選択図】図４
2012081059.tif 000002
【特許請求の範囲】
【請求項１】
刃体を有する一対の刀身を互いに開閉可能に支持した鋏本体と、その鋏本体を収容し得るケースとを備えたケース付き鋏において、鋏本体をケースに対し移動させた際に、鋏本体をケースに収容する収容状態と、両刀身の刃体をケースから突出させた突出状態とを取り、その収容状態では両刀身の刃体の開度を最大突出状態よりも小さくするように、鋏本体を案内する案内手段を備えたことを特徴とするケース付き鋏。
【請求項２】
前記案内手段は、鋏本体に設けたガイドとケースに設けたガイドとを備え、鋏本体に設けたガイドとケースに設けたガイドとの相互作用によって鋏本体をケースに対し移動させるとともに両刀身を互いに開閉させることを特徴とする請求項１に記載のケース付き鋏。
【請求項３】
鋏本体に設けたガイドは、両刀身を互いに回動可能に支持する開閉中心部の回動中心線の方向の両側のうち少なくとも一方の側で少なくとも一方の刀身に設けられていることを特徴とする請求項２に記載のケース付き鋏。
【請求項４】
鋏本体をケースに対し移動させるためにケースに設けたガイドと、両刀身を互いに開閉させるためにケースに設けたガイドとを兼用していることを特徴とする請求項２または請求項３に記載のケース付き鋏。
【請求項５】
鋏本体に設けたガイドは突条であることを特徴とする請求項２または請求項３または請求項４に記載のケース付き鋏。
【請求項６】
前記鋏本体において両刀身を互いに回動可能に支持する開閉中心部の回動中心線に対し直交する方向の両側のうち一方の側でケースには、鋏本体をケースに対し移動させて両刀身の刃体をケースの口部から出入する操作摘みを鋏本体とともに移動可能に支持したことを特徴とする請求項１から請求項５のうちいずれか一つの請求項に記載のケース付き鋏。
【請求項７】
前記案内手段は、鋏本体をケースに対し移動させて両刀身の刃体をケースの口部から出入する際に、前記収容状態で両刀身の刃体が互いに閉じた閉状態のまま両刀身の刃体をケースの口部から突出させた突出途中状態を経て両刀身が互いに開いた開状態に至るように、鋏本体の両刀身を案内することを特徴とする請求項１から請求項６のうちいずれか一つの請求項に記載のケース付き鋏。
【発明の詳細な説明】
【技術分野】
【０００１】
本発明は、刃体を有する一対の刀身を互いに開閉可能に支持した鋏本体をケースに収容した収容状態から両刀身の刃体をケースから突出させて使用することができるケース付き鋏に関するものである。
【背景技術】
【０００２】
従来、下記特許文献１にかかるケース付き鋏では、両刀身の刃体をケースから突出させた突出状態ばかりでなく、鋏本体をケースに収容した収容状態でも、両刀身の刃体は常に最大に開いた開状態になっている。
【先行技術文献】
【特許文献】
【０００３】
【特許文献１】実公平７−４０３６６号公報
【発明の概要】
【発明が解決しようとする課題】
【０００４】
上記特許文献１にかかるケース付き鋏では、両刀身の刃体がケースに対する収容状態から最大突出状態にわたる全範囲で一定の最大開度になっているため、不使用時に両刀身の刃体がケースから不用意に若干突出しただけで、衣服のポケットなどに鋏を収容した際に刃体の刃先部やその尖端により衣服を傷付けたり、鋏の近辺にある物を刃体の刃先部やその尖端により傷付けたり、使用者に不安感を与えたりする問題があった。また、両刀身の刃体が出入するケースの口部が開放されている場合には、その口部から物が入って刃体の刃先部やその尖端を傷付けたり、その口部から入った指を刃体の刃先部やその尖端により傷付けたりする問題があった。
【０００５】
この発明は、ケース付き鋏において、ケースに対する鋏本体の収容状態や突出状態で両刀身の刃体の開度に変化を持たせて、前述した問題を解消することを目的としている。
【課題を解決するための手段】
【０００６】
後記実施形態の図面（図１〜４）の符号を援用して本発明を説明する。
請求項１の発明にかかるケース付き鋏は、刃体９，１０を有する一対の刀身２，３を互いに開閉可能に支持した鋏本体１と、その鋏本体１を収容し得るケース２３とを備え、鋏本体１をケース２３に対し移動させた際に、鋏本体１をケース２３に収容する収容状態Ｄと、両刀身２，３の刃体９，１０をケース２３から突出させた突出状態Ａ，Ｂ，Ｃとを取り、その収容状態Ｄでは両刀身２，３の刃体９，１０の開度を最大突出状態Ａよりも小さくするように、鋏本体１を案内する案内手段１６ａ，１７，２２，３１，３２を備えている。請求項１の発明では、収容状態Ｄで両刀身２，３の刃体９，１０の開度が最大突出状態Ａよりも小さいので、不使用時に両刀身２，３の刃体９，１０がケース２３から不用意に突出しても、衣服のポケットなどに鋏を収容した際に刃体９，１０の刃先部１８やその尖端１８ａにより衣服を傷付けたり、鋏の近辺にある物を刃体９，１０の刃先部１８やその尖端１８ａにより傷付けたりするおそれは少なくなるとともに、使用者に安心感を与えることができる。また、両刀身２，３の刃体９，１０が出入するケース２３の口部２９が開放されている場合であっても、その口部２９から物が入って刃体９，１０の刃先部１８やその尖端１８ａを傷付けたりその口部２９から入った指を刃体９，１０の刃先部１８やその尖端１８ａにより傷付けたりするおそれも少なくなる。
【０００７】
請求項１の発明を前提とする請求項２の発明において、前記案内手段は、鋏本体１に設けたガイド１６ａ，１７，２２とケース２３に設けたガイド３１，３２とを備え、鋏本体１に設けたガイド１６ａ，１７とケース２３に設けたガイド３１，３２との相互作用によって鋏本体１をケース２３に対し移動させるとともに両刀身２，３を互いに開閉させる。請求項２の発明では、鋏本体１に設けたガイド１６ａ，１７，２２とケース２３に設けたガイド３１，３２とにより案内手段を構成して、鋏本体１のケース２３に対する移動と、鋏本体１の両刀身２，３の開閉とを行うことができる。
【０００８】
請求項２の発明を前提とする請求項３の発明において、鋏本体１に設けたガイド２２は、両刀身２，３を互いに回動可能に支持する開閉中心部４の回動中心線４ａの方向の両側のうち少なくとも一方の側で少なくとも一方の刀身３に設けられている。請求項３の発明では、鋏本体１に設けたガイド２２の構成を簡単にすることができる。
【０００９】
請求項２または請求項３の発明を前提とする請求項４の発明において、鋏本体１をケース２３に対し移動させるためにケース２３に設けたガイド３１，３２と、両刀身２，３を互いに開閉させるためにケース２３に設けたガイド３１とを兼用している。請求項４の発明では、ケース２３に設けたガイド３１，３２の構成を簡単にすることができる。
【００１０】
請求項２または請求項３または請求項４の発明を前提とする請求項５の発明において、鋏本体１に設けたガイドは突条２２である。請求項５の発明では、鋏本体１に設けたガイドの構成を簡単にすることができる。
【００１１】
請求項１から請求項５のうちいずれか一つの請求項の発明を前提とする請求項６の発明にかかる鋏本体１において、両刀身２，３を互いに回動可能に支持する開閉中心部４の回動中心線４ａに対し直交する方向の両側のうち一方の側でケース２３には、鋏本体１をケース２３に対し移動させて両刀身２，３の刃体９，１０をケース２３の口部２９から出入する操作摘み３３を鋏本体１とともに移動可能に支持した。請求項６の発明では、ケース２３を把持した手の親指を操作摘み３３に当てがったまま操作摘み３３を操作することができるので、鋏本体１のケース２３に対する移動を行い易い。
【００１２】
請求項１から請求項６のうちいずれか一つの請求項の発明を前提とする請求項７の発明において、前記案内手段は、鋏本体１をケース２３に対し移動させて両刀身２，３の刃体９，１０をケース２３の口部２９から出入する際に、前記収容状態Ｄで両刀身２，３の刃体９，１０が互いに閉じた閉状態のまま両刀身２，３の刃体９，１０をケース２３の口部２９から突出させた突出途中状態Ｃを経て両刀身２，３が互いに開いた開状態に至るように、鋏本体１の両刀身２，３を案内する。請求項７の発明では、両刀身２，３の刃体９，１０をケース２３の口部２９から突出させた突出途中状態Ｃまで、両刀身２，３の刃体９，１０が閉状態を維持するので、不使用時に両刀身２，３の刃体９，１０がケース２３から突出途中状態Ｃまで不用意に突出したり、使用時に両刀身２，３の刃体９，１０をケース２３から突出途中状態Ｃまで突出させたりしても、鋏の近辺にある物を刃体９，１０の刃先部１８やその尖端１８ａにより傷付けたりするおそれを少なくするとともに、使用者に視覚的な安心感を与えることができる。なお、「閉状態」とは、両刃先部１８の尖端１８ａが互いに重合してそれらの尖端１８ａ間の間隔が生じない場合ばかりでなく、それらの尖端１８ａ間の間隔を少し生じさせた場合も含む。
【００１３】
次に、請求項以外の技術的思想について実施形態の図面の符号を援用して説明する。
請求項２から請求項５のうちいずれか一つの請求項の発明を前提とする第８の発明において、ケース２３に設けたガイドは、互いに間隔をあけて延設された一対の突条３１，３２である。第８の発明では、ケース２３に設けたガイドの構成を簡単にすることができる。
【００１４】
請求項２から請求項５のうちいずれか一つの請求項の発明、または第８の発明を前提とする第９の発明において、鋏本体１をケース２３に対し移動させるために鋏本体１に設けたガイドは、両刀身２，３を互いに回動可能に支持する開閉中心部４に設けた突部１６ａ，１７である。第９の発明では、鋏本体１に設けたガイドの構成を簡単にすることができる。
【００１５】
第９の発明を前提とする第１０の発明において、前記開閉中心部４の突部は、両刀身２，３に挿着された軸１４の端部１６ａ，１７である。第１０の発明では、鋏本体１に設けたガイドの構成を簡単にすることができる。
【００１６】
第１０の発明を前提とする第１１の発明において、前記開閉中心部４の軸１４の端部１６ａ，１７は開閉中心部４の回動中心線４ａの方向の両側に設けられ、一方の側でケース２３のガイドとして互いに間隔Ｗ３１をあけて延設された一対の突条３１間に係合される一方の端部１６ａの係合寸法と、他方の側でケース２３のガイドとして互いに間隔Ｗ３２をあけて延設された一対の突条３２間に係合される他方の端部１７の係合寸法とが互いに異なり、一方の両突条３１間に他方の端部１７が係合不能であるか、または、他方の両突条３２間に一方の端部１６ａが係合不能であるか、または、いずれも係合不能である。第１１の発明では、ケース２３に対する鋏本体１の位置関係を特定して、鋏本体１をケース２３に収容することができる。
【００１７】
請求項２から請求項５のうちいずれか一つの請求項の発明、または第８〜１１の発明のうちいずれか一つの発明を前提とする第１２の発明において、前記両刀身２，３を互いに回動可能に支持する開閉中心部４の回動中心線４ａに対し直交する方向の両側のうち一方の側で一方の刀身２のケース２３に対する回動が規制され、両刀身２，３を開閉させるために鋏本体１に設けたガイドは一方の刀身２とケース２３とに対し開閉中心部４で回動し得る他方の刀身３に設けられている。第１２の発明では、鋏本体１のケース２３に対する移動と、鋏本体１の両刀身２，３の開閉とを容易に行うことができる。
【００１８】
請求項６の発明を前提とする第１３の発明において、前記操作摘み３３は前記鋏本体１において両刀身２，３のうち一方の刀身２に設けられて一方の刀身２のケース２３に対する回動を規制し、他方の刀身３は一方の刀身２とケース２３とに対し開閉中心部４で回動し得る。第１３の発明では、鋏本体１のケース２３に対する移動と、鋏本体１の両刀身２，３の開閉とを容易に行うことができる。
【００１９】
第１３の発明を前提とする第１４の発明において、前記操作摘み３３は、ケース２３に対する回動が規制された一方の刀身２に対し、ケース２３に設けた案内孔３０を通して挿着されている。第１４の発明では、一方の刀身２に対する操作摘み３３の挿着を簡単にすることができる。
【００２０】
請求項１から請求項７のうちいずれか一つの請求項の発明、または第８〜１４の発明のうちいずれか一つの発明を前提とする第１５の発明において、前記鋏本体１は両刀身２，３を互いに開くように付勢する付勢手段１９ａを備えている。第１５の発明では、両刀身２，３を容易に開くことができる。
【発明の効果】
【００２１】
本発明は、ケース付き鋏において、ケース２３に対する鋏本体１の収容状態Ｄや突出状態Ａ，Ｂ，Ｃで両刀身２，３の刃体９，１０の開度に変化を持たせて、不使用時にケース２３から不用意に突出した両刀身２，３の刃体９，１０の刃先部１８やその尖端１８ａにより衣服や物を傷付けるおそれを少なくするとともに、使用者に安心感を与えることができる。
【図面の簡単な説明】
【００２２】
【図１】（ａ）は本実施形態にかかるケース付き鋏の分解斜視図であり、（ｂ）は（ａ）における下側の刀身の部分斜視図であり、（ｃ）は（ａ）における鋏本体の組付け斜視図である。
【図２】（ａ）は図１（ｃ）における鋏本体を図１（ａ）におけるケースに挿入した状態を示す斜視図であり、（ｂ）は（ａ）におけるケース及び鋏本体に操作摘みを挿着して鋏本体を開状態でケースから突出させた最大突出状態を示す組付け斜視図であり、（ｃ）は（ｂ）の最大突出状態から鋏本体をケースに収容して閉状態にした収容状態を示す組付け斜視図である。
【図３】（ａ）（ｂ）（ｃ）（ｄ）はそれぞれケース付き鋏において鋏本体をケースに対し移動させて最大突出状態と収容状態とそれらの間の突出途中状態を示す正面図である。
【図４】（ａ）は図３（ａ）におけるケースを正面側から破断して示す断面図であり、（ｂ）は図３（ａ）におけるケースを背面側から破断して示す断面図であり、（ｃ）は図３（ｃ）におけるケースを正面側から破断して示す断面図であり、（ｄ）は図３（ｄ）におけるケースを正面側から破断して示す断面図である。
【発明を実施するための形態】
【００２３】
以下、本発明の一実施形態にかかるケース付き鋏について図面を参照して説明する。
図１に示す鋏本体１においては、上下一対の刀身２，３が開閉中心部４で回動中心線４ａを中心に互いに開閉可能に支持されている。上下両刀身２，３において、プラスチックにより成形されたハンドル５，６は、それぞれ、基端部７とその基端部７から延設された指掛腕部８とからなり、ハンドル５，６の成形時この指掛腕部８の内側に金属製の刃体９，１０が一体的に取着される。
【００２４】
開閉中心部４においては、上側のハンドル５の基端部７の内側に雌筒部１１が形成され、下側のハンドル６の基端部７の内側に雄筒部１２が形成されてこの雌筒部１１に対し回動可能に挿嵌され、この雄筒部１２に形成された支持孔１３に支軸１４が挿着されている。支軸１４は、プラスチックにより成形され、一対の割り片１６からなる軸部１５と、軸部１５よりも大径の頭部１７とからなる。軸部１５の両割り片１６の先端には係止段部１６ａが形成されている。支軸１４の軸部１５が支持孔１３に挿着された状態で、図４（ｂ）に示すように支軸１４の頭部１７は雌筒部１１の外側に形成された凹部１１ａに嵌め込まれて係止され、図４（ａ）に示すように軸部１５の両割り片１６の係止段部１６ａは雄筒部１２の外側に形成された凹部１２ａに嵌め込まれて係止されて支持孔１３からの支軸１４の離脱を阻止している。
【００２５】
上下両刀身２，３は支軸１４を有する開閉中心部４の回動中心線４ａを中心に相対回動する。上下両刃体９，１０は、相対向する刃先部１８を有し、その回動の際に互いに摺接する。上側のハンドル５の基端部７の内側には付勢手段としての金属製の板ばね１９ａが片持ち梁状に支持され、下側のハンドル６の基端部７の内側にはその板ばね１９ａが圧接される受圧部１９ｂが形成され、上下両刀身２，３が板ばね１９ａの弾性力により互いに開くように付勢されている。上側のハンドル５の基端部７上と下側のハンドル６の基端部７上とにそれぞれ形成されたストッパ部２０が互いに係止されて、上下両刀身２，３の開度である両刃先部１８の尖端１８ａ間の間隔が規制される。回動中心線４ａに対し直交する方向の両側のうち一方の側である上側のハンドル５の基端部７上には係止孔２１が形成されている。下側のハンドル６の基端部７の外側（回動中心線４ａの方向の両側のうち一方の側）には突条２２（案内手段としてのガイド）が形成されている。突条２２は、前端部２２ｃと、前端部２２ｃの後端部に対し屈曲されて前側から後側へ向うに従い下側から上側へ延びる傾斜部２２ａと、傾斜部２２ａの後端部２２ｂとからなる。
【００２６】
図１に示すケース２３は、プラスチックにより成形され、上壁２４と下壁２５と左側壁２６と右側壁２７とで筒状をなし、紐孔２８ａを有する後壁２８に面する前側に形成された口部２９で開放されている。上壁２４には前後方向へ延びる案内孔３０が形成されてケース２３内と連通している。図４（ａ）（ｂ）に示すように、左側壁２６の内側には上下一対の突条３１が互いに間隔Ｗ３１（約５．５ｍｍ）をあけて前後方向へ平行に延設されているとともに、右側壁２７の内側には上下一対の突条３２が互いに間隔Ｗ３２（約７ｍｍ）をあけて前後方向へ平行に延設され、上下両突条３１の間隔Ｗ３１が上下両突条３２の間隔Ｗ３２よりも小さく設定されている。支軸１４の軸部１５の両係止段部１６ａの最大径（係合寸法）は上下両突条３１の間隔Ｗ３１に合わせて設定され、支軸１４の頭部１７の最大径（係合寸法）は上下両突条３２の間隔Ｗ３２に合わせて設定されている。
【００２７】
図２（ａ）に示すように鋏本体１の上下両刀身２，３の基端部７がケース２３内に口部２９から挿入され、図４（ａ）（ｂ）に示すように、支軸１４の軸部１５の両係止段部１６ａ（案内手段としてのガイド、軸の端部にある突部）が左側壁２６の上下両突条３１間に係入されるとともに、支軸１４の頭部１７（案内手段としてのガイド、軸の端部にある突部）が右側壁２７の上下両突条３２間に係入され、図２（ｂ）に示すように上側のハンドル５の係止孔２１に操作摘み３３が上壁２４の案内孔３０を通して挿着されている。操作摘み３３は、プラスチックにより成形され、一対の割り片３４と、一対の割り片３４よりも大きい指当部３５とからなる。両割り片３４の先端には係止段部３４ａが形成されている。操作摘み３３の両割り片３４の係止段部３４ａは係止孔２１に係止されて係止孔２１からの操作摘み３３の離脱を阻止している。操作摘み３３の指当部３５は案内孔３０の外側に露出している。操作摘み３３により、上側の刀身２のケース２３に対する回動を規制し、下側の刀身３は上側の刀身２とケース２３とに対し開閉中心部４で回動し得る。
【００２８】
下側のハンドル６の突条２２はケース２３の左側壁２６の突条３１に係合する。図２（ｂ）（ｃ）に示すように操作摘み３３を案内孔３０に沿って移動させると、支軸１４の両係止段部１６ａが上下両突条３１で案内されるとともに、支軸１４の頭部１７が上下両突条３２で案内されながら、鋏本体１がケース２３に対し操作摘み３３とともに前後方向へ移動して図３に示す各種状態を取る。
【００２９】
図３（ａ）及び図４（ａ）（ｂ）に示すように鋏本体１をケース２３から最大に突出させた最大突出状態Ａから操作摘み３３を案内孔３０に沿って後方へ移動させると、図３（ｂ）の突出途中状態Ｂや、図３（ｃ）及び図４（ｃ）の突出途中状態Ｃを経て、図３（ｄ）及び図４（ｄ）に示すように鋏本体１をケース２３に収容させた収容状態Ｄに至る。逆に、その収容状態Ｄから操作摘み３３を案内孔３０に沿って前方へ移動させると、図４（ｃ）の突出途中状態Ｃや図３（ｂ）の突出途中状態Ｂを経て、図３（ａ）及び図４（ａ）（ｂ）に示す最大突出状態Ａに至る。
【００３０】
図３（ａ）及び図４（ａ）（ｂ）に示す最大突出状態Ａでは、操作摘み３３が案内孔３０の前端部に凹凸部により係止されて保持され、下側のハンドル６の突条２２において傾斜部２２ａの後端部２２ｂが左側壁２６の突条３１の前端部に当接しているため、両刀身２，３の刃体９，１０が板ばね１９ａの弾性力により最大に開かれた最大開状態となり、両刃先部１８の尖端１８ａ間の間隔Ｌ（約８ｍｍ）が最大に広がっている。
【００３１】
図３（ｄ）及び図４（ｄ）に示す収容状態Ｄでは、操作摘み３３が案内孔３０の後端部に凹凸部により係止されて保持され、下側のハンドル６の突条２２において前端部２２ｃが左側壁２６の突条３１の中間部に乗り上げているため、両刀身２，３の刃体９，１０が板ばね１９ａの弾性力に抗して閉じた閉状態となり、両刃先部１８の尖端１８ａが互いに重合してそれらの尖端１８ａ間の間隔が生じないようになっている。
【００３２】
その収容状態Ｄから操作摘み３３を案内孔３０に沿って前方へ移動させると、図３（ｃ）及び図４（ｃ）の突出途中状態Ｃまでは、下側のハンドル６の突条２２において前端部２２ｃが左側壁２６の突条３１に乗り上げた状態を維持して鋏本体１がケース２３に対し平行移動し、両刀身２，３の刃体９，１０が板ばね１９ａの弾性力に抗して閉じた閉状態のままとなる。その突出途中状態Ｃで突条２２の前端部２２ｃが突条３１の前端部に当接した後は、突条３１の前端部が突条２２の前端部２２ｃからその後端部２２ｂにわたり傾斜部２２ａに当接しながら、両刀身２，３の刃体９，１０が板ばね１９ａの弾性力により次第に開かれる。なお、図３（ｂ）の突出途中状態Ｂでは、最大突出状態Ａと突出途中状態Ｃとの間で両刀身２，３の刃体９，１０が少し開いた開状態となる。
【００３３】
ちなみに、収容状態Ｄにおける鋏の前後方向全長が約６８ｍｍ、最大突出状態Ａにおける鋏の前後方向全長が約１０２ｍｍ、収容状態Ｄから最大突出状態Ａにした際にケース２３に対し鋏本体１が前後方向へ移動する全移動距離は約３７ｍｍ、収容状態Ｄから突出途中状態Ｃにした際にケース２３に対し鋏本体１が両刃体９，１０の閉状態のままで前後方向へ移動する閉状態移動距離は約２１．５ｍｍに、それぞれ設定されている。その全移動距離（約３７ｍｍ）に対しその閉状態移動距離（約２１．５ｍｍ）が半分以上を占めるため、両刀身２，３の刃体９，１０を互いに閉じた閉状態を長く維持したまま開くことができる。
【００３４】
本実施形態は下記の効果を有する。
（１）  鋏本体１は、ケース２３に対する収容状態Ｄで両刀身２，３の刃体９，１０が互いに閉じた閉状態になるので、ケース２３の口部２９が開放されている場合であっても、その口部２９から物が入って刃体９，１０の刃先部１８やその尖端１８ａを傷付けたりその口部２９から入った指を刃体９，１０の刃先部１８やその尖端１８ａにより傷付けたりするおそれが少なくなる。
【００３５】
（２）  鋏本体１は、ケース２３に対する収容状態Ｄで両刀身２，３の刃体９，１０が互いに閉じて両刃先部１８の尖端１８ａが互いに重合してそれらの尖端１８ａ間の間隔が生じない閉状態のまま両刀身２，３の刃体９，１０をケース２３の口部２９から突出させた突出途中状態Ｃを経て、両刀身２，３が互いに開いた開状態に至るので、不使用時に両刀身２，３の刃体９，１０がケース２３から突出途中状態Ｃまで不用意に突出したり、使用時に両刀身２，３の刃体９，１０をケース２３から突出途中状態Ｃまで突出させたりしても、鋏の近辺にある物を刃体９，１０の刃先部１８やその尖端１８ａにより傷付けたりするおそれを少なくするとともに、使用者に視覚的な安心感を与えることができる。
【００３６】
（３）  鋏本体１の開閉中心部４で上下両刀身２，３を互いに回動可能に支持する支軸１４の両端部の突部（頭部１７と軸部１５の係止段部１６ａ）をケース２３の突条３１，３２で案内するので、鋏本体１のケース２３に対する移動を簡単な構成で容易に行うことができる。
【００３７】
（４）  鋏本体１において下側の刀身３に形成した突条２２をケース２３の突条３１で規制して上側の刀身２に対し下側の刀身３を開閉させるので、鋏本体１の両刀身２，３の開閉を簡単な構成で容易に行うことができる。
【００３８】
（５）  ケース２３上の操作摘み３３と上側の刀身２のハンドル５の指掛腕部８とは共に上側で前後方向に並んでいるので、使用時に収容状態Ｄから突出途中状態Ｃ，Ｂを経て最大突出状態Ａに至る際、収容状態Ｄでケース２３を把持した手の親指を操作摘み３３に当てがったまま操作摘み３３を操作することができる。さらに、その手の親指をそのまま操作摘み３３から上側の刀身２のハンドル５の指掛腕部８に向けて前方へ移動させて上下両刀身２，３を互いに開閉させることができる。また、その手の親指をそのまま後方へ移動させて鋏本体１をケース２３に収容することができる。従って、鋏本体１のケース２３に対する移動を行い易い。
【００３９】
（６）  支軸１４の軸部１５の両係止段部１６ａの最大径（係合寸法）はケース２３の上下両突条３１の間隔Ｗ３１に合わせて設定され、支軸１４の頭部１７の最大径（係合寸法）はケース２３の上下両突条３２の間隔Ｗ３２に合わせて設定され、一方の上下両突条３１間に頭部１７が係合不能であるので、ケース２３に対する鋏本体１の位置関係を特定して、鋏本体１をケース２３に収容することができ、鋏本体１をケース２３に対し誤って上下反対に組み付けることができない。
【００４０】
前記実施形態以外にも例えば下記のように構成してもよい。
・  前記実施形態では、両刃先部１８の尖端１８ａが収容状態Ｄで互いに重合してそれらの尖端１８ａ間の間隔が生じない閉状態になっているが、収容状態Ｄでそれらの尖端１８ａ間の間隔を少し生じさせて両刀身２，３の刃体９，１０の開度を最大突出状態Ａや突出途中状態Ｂよりも小さくした閉状態にしてもよい。
【００４１】
・  前記実施形態では、収容状態Ｄから突出途中状態Ｃに至るまでは両刃先部１８の尖端１８ａ間の間隔が生じない閉状態になっているが、それらの尖端１８ａ間の間隔が若干生じたまま両刀身２，３の刃体９，１０をケース２３から突出させてもよい。
【００４２】
・  前記実施形態では、上下両刀身２，３を有する鋏本体１がケース２３に対し移動可能に支持され、上側の刀身２がケース２３に対し回動不能に支持されているとともに、下側の刀身３がケース２３及び上側の刀身２に対し回動可能に支持されているが、上下両刀身２，３を共にケース２３に対し回動可能に支持してもよい。
【００４３】
・  前記実施形態では、下側のハンドル６の左側にのみ突条２２を形成したが、下側のハンドル６の右側にも突条２２を形成してもよい。また、上下両刀身２，３を共にケース２３に対し回動可能に支持した場合には上側のハンドル５にも突条２２を形成してもよい。
【００４４】
・  前記実施形態では、鋏本体１及びケース２３に設けた案内手段としてのガイドとして突条２２，３１,３２を設けたが、それらのガイドの形態を変更してもよく、例えば、一方を突部とし他方を溝部とし、それらを互いに嵌め合って案内するようにしてもよい。
【００４５】
・  収容状態Ｄから突出途中状態Ｃに至るまでは両刃体９，１０を閉状態のままにし、突出途中状態Ｃを過ぎた直後に両刃体９，１０を最大に開いた開状態にしてもよいが、前述した実施形態のように、突出途中状態Ｃから突出途中状態Ｂを経て最大突出状態Ａに至るに従い両刃体９，１０を次第に開くようにしてもよい。
【００４６】
・  前記実施形態では、開閉中心部４の回動中心線４ａに対し直交する方向の片側でケース２３に操作摘み３３を配設したが、その回動中心線４ａの方向の片側でケース２３に操作摘み３３を配設してもよい。
【００４７】
・  ケース２３の外側に滑り止め凹凸部を設けてもよい。例えば、その滑り止め凹凸部としてブランド名やロゴマークを表示することもできる。
【符号の説明】
【００４８】
１…鋏本体、２，３…刀身、４…開閉中心部、４ａ…回動中心線、９，１０…刃体、１４…支軸、１６ａ…支軸の係止段部（案内手段としてのガイド、軸の端部にある突部）、１７…支軸の頭部（案内手段としてのガイド、軸の端部にある突部）、１８…刃先部、１８ａ…尖端、１９ａ…板ばね（付勢手段）、２２…突条（案内手段としてのガイド）、２３…ケース、２９…口部、３１，３２…突条（案内手段としてのガイド）、３３…操作摘み、Ａ…最大突出状態、Ｃ…突出途中状態、Ｄ…収容状態。
【図１】
2012081059.tif 000003
【図２】
2012081059.tif 000004
【図３】
2012081059.tif 000005
【図４】
2012081059.tif 000006